(57)【要約】【課題】基地局と加入者局間無線回線で接続し、発信者番号情報を暗号化処理処理して制御チャンネルにより転送する発信者番号情報転送方式を提供する。【解決手段】基地局１０が交換機４０から電話機５０に対する着信要求を受信したとき、基地局制御回路１４と加入者局制御回路２１間で無線回線３０を介して秘匿鍵の照合処理を行なった後、秘匿鍵を用いて発信者番号情報を暗号化処理し、着信情報に付加して制御チャネルにより加入者局制御回路へ転送し、加入者局制御回路は、基地局から制御チャネルにより送信された暗号化処理された発信者番号情報を秘匿鍵を用いて暗号解除し、呼び出し信号の所定の位置に付加して電話機に送信する。【選択図】      図１
2004235818.tif 000002
【特許請求の範囲】
【請求項１】
第１のアナログ回線により交換機に接続された基地局と、第２のアナログ回線により電話機に接続された加入者局とが無線回線によって接続され、電話番号通知サービスを利用して発信者番号情報を前記基地局から前記加入者局へ転送する電話交換システムにおいて、前記基地局が前記交換機から前記電話機に対する着信を検出したとき、前記基地局と前記加入者局間で前記無線回線を介して秘匿鍵の照合処理を行なった後、前記秘匿鍵を用いて前記発信者番号情報を暗号化処理し、暗号化処理した前記発信者番号情報を着信情報に付加して前記無線回線の制御チャネルにより前記加入者局へ転送することを特徴とする発信者番号情報転送方式。
【請求項２】
前記加入者局は、前記基地局から前記無線回線の制御チャネルにより送信された暗号化処理された前記発信者番号情報を前記秘匿鍵を用いて暗号解除し、呼び出し信号の所定の位置に付加して前記電話機に送信することを特徴とする請求項１記載の発信者番号情報転送方式。
【請求項３】
前記基地局は、前記交換機から呼び出し信号とＦＳＫ信号からなる着信を検出したとき、呼び出し信号を検出する呼び出し検出回路と、前記ＦＳＫ信号をデジタル信号に変換するＦＳＫ変換回路と、前記ＦＳＫ変換部で変換された前記デジタル信号から発信者番号情報を抽出する情報抜き取り回路と、前記発信者番号情報を暗号化処理する秘話回路と、前記情報抜き取り回路から前記発信者番号情報を受け取り、前記無線回線を介して前記加入者局との間で前記秘匿鍵の照合処理を行なった後、前記情報抜き取り回路から受け取った前記発信者番号情報と照合処理済みの前記秘匿鍵とを前記秘話回路へ送出し暗号化処理を要求し、暗号化処理された前記発信者番号情報を着信情報に付加して前記無線回線の制御チャネルを使用して前記加入者局へ送信する基地局制御回路とを有することを特徴とする請求項１記載の発信者番号情報転送方式。
【請求項４】
前記加入者局は、指定された秘匿鍵により暗号化された前記発信者番号情報を暗号解除する秘話回路と、デジタル信号をＦＳＫ信号に変換するＦＳＫ再生回路と、呼び出し信号を生成するリンガーと、前記ＦＳＫ再生回路の出力と前記リンガーの出力を切換選択するスイッチ回路と、前記無線回線を介して前記加入者局との間で前記秘匿鍵の照合処理を行うと共に、前記基地局から前記無線回線の前記制御チャネルを介して着信情報と暗号化処理された前記発信者番号情報を受信し暗号化処理された前記発信者番号情報と前記照合処理済みの前記秘匿鍵を前記暗号回路へ送出し暗号化処理された前記発信者番号情報の暗号化解除を要求し、前記暗号化解除された前記発信者番号情報を前記ＦＳＫ再生回路へ送出しすると共に、前記着信情報を前記リンガーへ送出し前記呼び出し信号の生成を指示し、且つ前記スイッチ回路を制御して前記ＦＳＫ再生回路が出力するＦＳＫ信号化された前記発信者番号情報を前記リンガーが出力する前記呼び出し信号の所定の位置に付加して前記第２のアナログ回線を介して前記電話機へ送信するよう制御する加入者局制御回路とを有することを特徴とする請求項１記載の発信者番号情報転送方式。
【請求項５】
前記発信者番号情報の暗号化処理に使用する前記秘匿鍵は１つであることを特徴とする請求項１乃至４記載の発信者番号情報転送方式。
【請求項６】
前記発信者番号情報の暗号化処理に使用する前記秘匿鍵は複数であることを特徴とする請求項１乃至４記載の発信者番号情報転送方式。
【請求項７】
前記発信者番号情報の暗号化処理に使用する複数の前記秘匿鍵は、予め設定された条件に従い変更することを特徴とする請求項６記載の発信者番号情報転送方式。
【請求項８】
前記発信者番号情報の暗号化処理に使用する複数の前記秘匿鍵の変更条件は、時間、日、月単位であることを特徴とする請求項６乃至７記載の発信者番号情報転送方式。
【請求項９】
前記発信者番号情報の暗号化処理に使用する１つまたは複数の前記秘匿鍵歯、任意に設定可能であることを特徴とする請求項５乃至８記載の発信者番号情報転送方式。
【発明の詳細な説明】
【０００１】
【発明の属する技術分野】
本発明は発信者番号情報転送方式に関し、特に基地局と加入者局間の無線回線において秘匿鍵を使用して発信者番号情報を転送する方式に関する。
【０００２】
【従来の技術】
従来、第１のアナログ回線により交換機に接続された基地局と、第２のアナログ回線により電話機に接続された加入者局とが無線回線によって接続され、制御チャンネルにより発信者番号情報の内容を転送する電話交換システムにおいて、制御チャンネルの情報には秘話がかけられないのが一般的であるため、制御チャンネルを用いて転送する発信者番号情報に対して秘話を適用することが不可能であり、発信者番号情報に対して秘話が求められる場合においては、発信者番号情報転送機能を利用することが不可能であった。
【０００３】
発信加入者を収容する発信者側加入者交換機と着信加入者を収容する着信者側加入者交換機間を中継回線と共通線信号網とにより接続し、且つ着信者側加入者交換機に共通線信号網を介して発信者側加入者交換機から着信した発信者番号を暗号化するための暗号化装置を備え、暗号化装置において着信した発信者番号の全桁または一部の桁を暗号化し着信加入者の電話機に表示する技術が、例えば特開平１１−２８９３８８号公報に開示されている（第１の従来技術）。
【０００４】
また、構内交換機のトランク回路を介して公衆網と接続すると共に、ライン回路を介して複数の基地局を収容し、基地局は制御チャネルと情報チャネルから成る無線回線により複数の移動局と接続する構内コードレス電話システムにおいて、基地局は移動局への着信時に、情報チャネルの使用状況を基に空きの情報チャネルの有無を判定し、空きの情報チャネルがないとき、公衆網から着信した着信情報の中から発信者番号を抽出して、発信者番号を含む発信者情報信を生成して制御チャネルを使用して移動局へ送信することにより、移動局の表示部に発信者の電話番号を表示する技術が、例えば特開平１０−１０８２５８号公報に開示されている（第２の従来技術）。
【０００５】
【特許文献１】
特開平１１−２８９３８８号公報（段落０００９、段落００１０、段落００１７〜段落００１９、図１、２）
【特許文献２】
特開平１０−１０８２５８号公報（段落００５８〜段落００６１、段落００６５、段落００９２図１、６）
【０００６】
【発明が解決しようとする課題】
上述した第１の従来技術は、発信者側加入交換機から発信者番号を共通線信号網を介して暗号化装置を備える着信者側加入交換機へ送信し、暗号化装置において受信した発信者番号の全桁または一部の桁を暗号化して着信加入者の電話機の表示部に表示するものであり、発信者側加入交換機と着信者側加入交換機間で送受する発信者番号は、暗号化されていないため、共通信号網区間における発信者番号の漏洩を防止することができない。
【０００７】
また、着信加入者の表示装置に表示される発信者の電話番号は、着信者側加入交換機で暗号化された状態のままで（暗号状態）あるため、着信加入者が発信者が誰であるかを即座に判断することができない。
【０００８】
また、中継回線の外に共通線信号網が必要となり、システムコストが高くなる。
【０００９】
上述した第２の従来技術は、基地局は構内交換機からの着信が自己の管轄する移動局への着信であるとき、移動局へ着信するための情報チャネルの空き状態を検索し、全制御情報チャネルが使用中（閉塞）のとき、公衆網から構内交換機を介して着信した着信情報の中から発信者番号を抽出して発信者番号を含む発信者情報を生成し、制御チャネルを使用して移動局へ送信し、移動局の表示部に発信者の電話番号を表示するものであり、制御チャネルにより移動局へ送信される発信者情報に含まれている発信者の電話番号は暗号化されていないため、構内交換機と基地局との間の有線区間における発信者番号の暗号化に対応することができない。
【００１０】
本発明の目的は、第１のアナログ回線により交換機に接続された基地局と、第２のアナログ回線により電話機に接続された加入者局とが無線回線によって接続され、制御チャンネルにより発信者番号情報の内容を転送する電話交換システムにおいて、制御チャンネルにより転送される発信者番号情報を暗号化処理する発信者番号情報転送方式を提供することにある。
【００１１】
【課題を解決するための手段】
本発明の発信者番号情報転送方式は、第１のアナログ回線により交換機に接続された基地局と、第２のアナログ回線により電話機に接続された加入者局とが無線回線によって接続され、電話番号通知サービスを利用して発信者番号情報を前記基地局から前記加入者局へ転送する電話交換システムにおいて、前記基地局が前記交換機から前記電話機に対する着信を検出したとき、前記基地局と前記加入者局間で前記無線回線を介して秘匿鍵の照合処理を行なった後、前記秘匿鍵を用いて前記発信者番号情報を暗号化処理し、暗号化処理した前記発信者番号情報を着信情報に付加して前記無線回線の制御チャネルにより前記加入者局へ転送することを特徴とする。
【００１２】
また、前記加入者局は、前記基地局から前記無線回線の制御チャネルにより送信された暗号化処理された前記発信者番号情報を前記秘匿鍵を用いて暗号解除し、呼び出し信号の所定の位置に付加して前記電話機に送信することを特徴とする。
【００１３】
また、前記基地局は、前記交換機から呼び出し信号とＦＳＫ信号からなる着信を検出したとき、呼び出し信号を検出する呼び出し検出回路と、前記ＦＳＫ信号をデジタル信号に変換するＦＳＫ変換回路と、前記ＦＳＫ変換部で変換された前記デジタル信号から発信者番号情報を抽出する情報抜き取り回路と、前記発信者番号情報を暗号化処理する秘話回路と、前記情報抜き取り回路から前記発信者番号情報を受け取り、前記無線回線を介して前記加入者局との間で前記秘匿鍵の照合処理を行なった後、前記情報抜き取り回路から受け取った前記発信者番号情報と照合処理済みの前記秘匿鍵とを前記秘話回路へ送出し暗号化処理を要求し、暗号化処理された前記発信者番号情報を着信情報に付加して前記無線回線の制御チャネルを使用して前記加入者局へ送信する基地局制御回路とを有することを特徴とする。
【００１４】
また、前記加入者局は、指定された秘匿鍵により暗号化された前記発信者番号情報を暗号解除する秘話回路と、デジタル信号をＦＳＫ信号に変換するＦＳＫ再生回路と、呼び出し信号を生成するリンガーと、前記ＦＳＫ再生回路の出力と前記リンガーの出力を切換選択するスイッチ回路と、前記無線回線を介して前記加入者局との間で前記秘匿鍵の照合処理を行うと共に、前記基地局から前記無線回線の前記制御チャネルを介して着信情報と暗号化処理された前記発信者番号情報を受信し暗号化処理された前記発信者番号情報と前記照合処理済みの前記秘匿鍵を前記暗号回路へ送出し暗号化処理された前記発信者番号情報の暗号化解除を要求し、前記暗号化解除された前記発信者番号情報を前記ＦＳＫ再生回路へ送出しすると共に、前記着信情報を前記リンガーへ送出し前記呼び出し信号の生成を指示し、且つ前記スイッチ回路を制御して前記ＦＳＫ再生回路が出力するＦＳＫ信号化された前記発信者番号情報を前記リンガーが出力する前記呼び出し信号の所定の位置に付加して前記第２のアナログ回線を介して前記電話機へ送信するよう制御する加入者局制御回路とを有することを特徴とする。
【００１５】
また、前記発信者番号情報の暗号化処理に使用する前記秘匿鍵は１つであることを特徴とする。
【００１６】
また、前記発信者番号情報の暗号化処理に使用する前記秘匿鍵は複数であることを特徴とする。
【００１７】
また、前記発信者番号情報の暗号化処理に使用する複数の前記秘匿鍵は、予め設定された条件に従い変更することを特徴とする。
【００１８】
また、前記発信者番号情報の暗号化処理に使用する複数の前記秘匿鍵の変更条件は、時間、日、月単位であることを特徴とする。
【００１９】
また、前記発信者番号情報の暗号化処理に使用する１つまたは複数の前記秘匿鍵歯、任意に設定可能であることを特徴とする。
【００２０】
【発明の実施の形態】
本発明の発信者番号情報転送方式の実施の形態について図面を参照して説明する。
【００２１】
図１は本発明の主要構成を示すシステムブロック図、図２は本発明の交換機における着信時の基地局に対する呼び出し動作を説明する図である。
最初に図１を参照して本発明のシステム構成について説明する。
【００２２】
図１に本システムは、交換機４０と基地局１０は第１のアナログ回線４１により接続され、基地局１０と加入者局２０は無線回線３０で接続され、更に加入者局２０は第２のアナログ回線５１により電話機５０と接続されている。
【００２３】
基地局１０は、交換機４０から送出された着信があった場合の呼び出し信号を検出する呼び出し検出回路１１と、交換機４０から送出されたＦＳＫ信号をデジタル信号に変換するＦＳＫ変換回路１２と、ＦＳＫ変換回路１２からデジタル信号を受け取り発信者番号情報の内容を抽出する情報抜き取り回路１３と、情報抜き取り回路１３から発信者番号情報の内容を受け取り、具備するメモリに予め登録されている秘匿鍵を無線回線３０を介して加入者局２０と交換した後、秘匿鍵を秘話回路１５へ通知し、秘話回路１５において秘匿鍵に基づき暗号化処理された発信者番号情報を受け取り、着信信号に付加して無線回線３０の制御チャネルにより加入者局２０へ送信する基地局制御回路１４とから構成されている。
【００２４】
加入者局２０は、無線回線３０の制御チャネルを介して基地局１０から受信した着信情報から着信信号と暗号化処理された発信者番号情報を検出し、検出した発信者番号情報の内容を予め登録されている秘匿鍵と共に秘話回路２２へ転送し、秘話回路２２により暗号解除された発信者番号情報と着信情報を出力する加入者局制御回路２１と、加入者局制御回路２１から発信者番号情報の内容を受け取りＦＳＫ信号に変換するＦＳＫ再生回路２３と、加入者局制御回路２１から受け取った着信情報により呼び出し信号を発振するリンガー２４と、加入者局制御回路２１からの制御を受け、リンガー２４が出力する呼び出し信号とＦＳＫ再生回路２３が出力するＦＳＫ信号化された発信者番号情報とを選択制御し第２のアナログ回線５１を介して電話機５０ヘ送信するスイッチ回路２５とから構成されている。
【００２５】
次に図１および図２を参照して本発明の動作について詳細に説明する。
交換機４０は着信があった場合、第１のアナログ回線４１に対し、図２に示すように１番目の呼び出し信号の送出Ａを行い、その後、ＦＳＫ信号化された発信者番号情報の送出Ｂを行う。その後、２番目の呼び出し信号の送出Ｃが行われ、応答があるまで、３番目、４番目の呼び出し信号が送出される。
【００２６】
基地局１０では、交換機４０から着信があった場合、呼び出し検出回路１１により、１番目の呼び出し信号の送出Ａを検出し、基地局の制御回路１４に着信があることを知らせる。その後、交換機４０はＦＳＫ信号化された発信者番号情報の送出Ｂを行う。
【００２７】
交換機４０からのＦＳＫ信号化された発信者番号情報は、ＦＳＫ変換回路１２において、ＦＳＫ信号である発信者番号情報をデジタル信号に変換し、情報抜き取り回路１３へ送出する。
【００２８】
情報抜き取り回路１３においては、ＦＳＫ変換回路１２から受け取ったデジタル信号の中から発信者番号情報の内容を抽出し、抽出した内容を基地局制御回路１４へ送出する。
【００２９】
基地局制御回路１４は、呼び出し検出回路１１から着信情報を、情報抜き取り回路１３からの発信者番号情報の内容をそれぞれ受け取り、加入者局２０の加入者局制御回路２１と無線回線３０を介して秘匿鍵を交換する。
【００３０】
基地局制御回路１４は、秘話回路１５に秘匿鍵と発信者番号情報の内容を送出し、秘話回路１５は、発信者番号情報の内容を暗号化処理し、暗号化処理された発信者番号情報の内容を基地局制御回路１４へ送出する。
【００３１】
基地局制御回路１４は、着信情報と暗号化された発信者番号情報の内容を着信信号に付加して、無線回線３０の制御チャンネルを用いて、加入者局２０の加入者局制御回路２１へ送信する。
【００３２】
加入者局制御回路２１は、既に基地局制御回路１４と秘匿鍵の交換を行っており、基地局制御回路１４から無線回線３０の制御チャネルを介して着信情報と暗号化処理された発信者番号情報の内容を受信し、受信した暗号化処理された発信者番号情報の内容を秘匿鍵と共に秘話回路２２へ送出する。
【００３３】
秘話回路２２は、秘匿鍵と暗号化処理された発信者番号情報の内容を受け取り、暗号化処理された発信者番号情報の暗号化解除処理を行い、発信者番号情報の内容を加入者局制御回路２１へ送出する。
【００３４】
加入者局制御回路２１は、リンガー２４へ着信情報を送出し呼び出し信号の生成を指示し、また、暗号化解除処理された発信者番号情報の内容をＦＳＫ再生回路２３へ送出する。
【００３５】
リンガー２４は、加入者局制御回路２１から着信情報を受け取ると、所定の呼び出し信号を生成しスイッチ回路２５へ送出する。
ＦＳＫ再生回路２３は、加入者局制御回路２１から受け取った暗号化解除処理された発信者番号情報の内容をＦＳＫ信号化（アナログ信号に変換）し、スイッチ回路２５へ送出する。
【００３６】
スイッチ回路２５は、加入者局制御回路２１に制御され、図２に示すように最初に呼び出し信号を所定時間選択し、１番目の呼び出し信号として第２のアナログ回線５１へ送信し、続いてＦＳＫ信号化された発信者番号情報を所定時間選択し、第２のアナログ回線５１へ送信し、その後再び呼び出し信号を所定時間選択し、２番目の呼び出し信号として第２のアナログ回線５１へ送信し、以降電話機５０が応答するまで３番目、４番目の呼び出し信号を送信する。すなわち、ＦＳＫ信号化された発信者番号情報は、最初の呼び出し信号の送出直後の所定時間のみ選択され、被呼側の電話機５０へ送信され電話機５０に発信者番号が表示される。
【００３７】
次に図１および図２を参照して本発明の動作について詳細に説明する。
交換機４０は着信があった場合、第１のアナログ回線４１に対し、図２に示すように１番目の呼び出し信号の送出Ａを行い、その後、ＦＳＫ信号化された発信者番号情報の送出Ｂを行う。その後、２番目の呼び出し信号の送出Ｃが行われ、応答があるまで、３番目、４番目の呼び出し信号が送出される。
【００３８】
基地局１０では、交換機４０から着信があった場合、呼び出し検出回路１１により、１番目の呼び出し信号の送出Ａを検出し、基地局の制御回路１４に着信があることを知らせる。その後、交換機４０はＦＳＫ信号化された発信者番号情報の送出Ｂを行う。
【００３９】
交換機４０からのＦＳＫ信号化された発信者番号情報は、ＦＳＫ変換回路１２において、ＦＳＫ信号である発信者番号情報をデジタル信号に変換し、情報抜き取り回路１３へ送出する。
【００４０】
情報抜き取り回路１３においては、ＦＳＫ変換回路１２から受け取ったデジタル信号の中から発信者番号情報の内容を抽出し、抽出した内容を基地局制御回路１４へ送出する。
【００４１】
基地局制御回路１４は、呼び出し検出回路１１から着信情報を、情報抜き取り回路１３からの発信者番号情報の内容をそれぞれ受け取り、加入者局２０の加入者局制御回路２１と無線回線３０を介して秘匿鍵を交換する。
【００４２】
基地局制御回路１４は、秘話回路１５に秘匿鍵と発信者番号情報の内容を送出し、秘話回路１５は、発信者番号情報の内容を暗号化処理し、暗号化処理された発信者番号情報の内容を基地局制御回路１４へ送出する。
【００４３】
基地局制御回路１４は、着信信号と暗号化された発信者番号情報の内容を着信信号に付加して、無線回線３０の制御チャンネルを用いて、加入者局２０の加入者局制御回路２１へ送信する。
【００４４】
加入者局制御回路２１は、既に基地局制御回路１４と秘匿鍵の交換を行っており、基地局制御回路１４から無線回線３０の制御チャネルを介して着信情報と暗号化処理された発信者番号情報の内容を受信し、受信した暗号化処理された発信者番号情報の内容を秘匿鍵と共に秘話回路２２へ送出する。
【００４５】
秘話回路２２は、秘匿鍵と暗号化処理された発信者番号情報の内容を受け取り、暗号化処理された発信者番号情報の暗号化解除処理を行い、発信者番号情報の内容を加入者局制御回路２１へ送出する。
【００４６】
加入者局制御回路２１は、リンガー２４へ着信情報を送出し呼び出し信号の生成を指示し、また、暗号化解除処理された発信者番号情報の内容をＦＳＫ再生回路２３へ送出する。
【００４７】
リンガー２４は、加入者局制御回路２１から着信情報を受け取ると、所定の呼び出し信号を生成しスイッチ回路２５へ送出する。
ＦＳＫ再生回路２３は、加入者局制御回路２１から受け取った暗号化解除処理された発信者番号情報の内容をＦＳＫ信号化（アナログ信号に変換）し、スイッチ回路２５へ送出する。
【００４８】
スイッチ回路２５は、加入者局制御回路２１に制御され、図２に示すように最初に呼び出し信号を所定時間選択し、１番目の呼び出し信号として第２のアナログ回線５１へ送信し、続いてＦＳＫ信号化された発信者番号情報を所定時間選択し、第２のアナログ回線５１へ送信し、その後再び呼び出し信号を所定時間選択し、２番目の呼び出し信号として第２のアナログ回線５１へ送信し、以降電話機５０が応答するまで３番目、４番目の呼び出し信号を送信する。すなわち、ＦＳＫ信号化された発信者番号情報は、最初の呼び出し信号の送出直後の所定時間のみ選択され、被呼側の電話機５０へ送信され電話機５０に発信者番号が表示される。
【００４９】
なお、発信者番号情報の暗号化処理に使用する秘匿鍵は、１つ登録しておき固定的に使用してもよいが、発信者番号の漏洩をより確実に防止するためには、複数の秘匿鍵と秘匿鍵の使用条件を登録しておき、使用条件に従い秘匿鍵を変更して使用することことが望ましい。
秘匿鍵の使用条件としては、例えば、所定時間毎、毎日、月毎であって、タイマーにより検出することができる。
【００５０】
なお、秘匿鍵および使用条件は、必要に応じ任意に変更可能であることは言うまでもない。
【００５１】
このように、基地局１０と加入者局２０の間において、無線回線３０を介して秘匿鍵を交換した後に、制御チャンネルにより転送する発信者番号情報の内容を暗号化することにより、発信者番号情報に関しても秘話の適用を実現できる。
【００５２】
以上、基地局と加入者局間において、発信者番号を暗号化して無線回線の制御チャネルを使用して転送する例について説明したが、移動機と基地局間においても、同様な処理が可能なことはいうまでもない。
【００５３】
【発明の効果】
以上のように本発明の発信者番号情報転送方式によれば、第１のアナログ回線により交換機に接続された基地局と、第２のアナログ回線により電話機に接続された加入者局とが無線回線によって接続され、電話番号通知サービスを利用して発信者番号情報を前記基地局から前記加入者局へ転送する電話交換システムにおいて、前記基地局が前記交換機から前記電話機に対する着信を検出したとき、前記基地局と前記加入者局間で前記無線回線を介して秘匿鍵の照合処理を行なった後、前記秘匿鍵を用いて前記発信者番号を暗号化処理し、暗号化処理した前記発信者番号情報を着信情報に付加して前記無線回線の制御チャネルにより前記加入者局へ転送し、前記加入者局は、前記基地局から前記無線回線の制御チャネルにより送信された暗号化処理された前記発信者番号情報を前記秘匿鍵を用いて暗号解除し、呼び出し信号の所定の位置に付加して前記電話機に送信する能に構成することにより、発信者番号情報の漏洩を防止することができる。
【００５４】
また、共通線信号網等の別回線を不要でシステムコストを抑制することができる。
【図面の簡単な説明】
【図１】本発明の主要構成を示すシステムブロック図である。
【図２】本発明の交換機における着信時の基地局に対する呼び出し動作を説明する図である。
【符号の説明】
１０    基地局
１１    呼び出し検出回路
１２    ＦＳＫ変換回路
１３    情報抜き取り回路
１４    基地局制御回路
１５    秘話回路
２０    加入者局
２１    加入者局制御回路
２２    秘話回路
２３    ＦＳＫ再生回路
２４    リンガー
２５    スイッチ回路
３０    無線回線
４０    交換機
４１    第１のアナログ回線
５０    電話機
５１    第２のアナログ回線
【図１】
2004235818.tif 000003
【図２】
2004235818.tif 000004